(57)【要約】【課題】  光学的な特性への影響を防止でき、意匠面および放熱性を向上できる照明器具を提供する。【解決手段】  照明器具１０は、直管型ＬＥＤランプ１４と、直管型ＬＥＤランプ１４の前面に取り付けられる反射板１８と、直管型ＬＥＤランプ１４を反射板１８の前面に保持するランプ支持ばね１９とを備え、ランプ支持ばね１９は、直管型ＬＥＤランプ１４の発光面の下方に位置する部位が、直管型ＬＥＤランプ１４の発光面の上方に位置する部位よりも短い。【選択図】  図１
2012146563.tif 000002
【特許請求の範囲】
【請求項１】
直管型ＬＥＤランプと、
前記直管型ＬＥＤランプの前面に取り付けられる反射板と、
前記直管型ＬＥＤランプを前記反射板の前面に保持するランプ支持ばねとを備え、
前記ランプ支持ばねは、前記直管型ＬＥＤランプの発光面の下方に位置する部位が、前記直管型ＬＥＤランプの発光面の上方に位置する部位よりも短い照明器具。
【請求項２】
請求項１に記載の照明器具において、
前記ランプ支持ばねが、放熱性に優れる材料により成形される照明器具。
【発明の詳細な説明】
【技術分野】
【０００１】
本発明は、例えばＬＥＤを有する直管型ＬＥＤランプを光源として天井面に設置される照明器具に関する。
【背景技術】
【０００２】
従来より、ランプ支持ばねを介して環状の蛍光ランプを設け、ランプ支持ばねの本体に対する取付部を中心からずらして設けた照明器具が知られている（例えば、特許文献１参照）。
特許文献１に記載の照明器具は、ランプ支持ばねの本体に対する取付方向を逆方向に変更することにより、ランプ支持ばねを取り付けるために器具本体に設けるビス孔を蛍光ランプの外径にかかわらず、位置変更する必要がない。
【先行技術文献】
【特許文献】
【０００３】
【特許文献１】特開２００４−３６３０３０号公報（図５、請求項１）
【発明の概要】
【発明が解決しようとする課題】
【０００４】
ところで、近年のＬＥＤ技術の発展に伴い、省エネ等の観点から蛍光ランプに代えて、ＬＥＤを内蔵した直管型ＬＥＤランプを装備する照明器具が提案されている。
図９に示すように、このような従来の照明器具１００における直管型ＬＥＤランプ１０１は、円筒形状のガラス管１０２内に、複数のＬＥＤ１０３をガラス管１０２の長手方向に実装させたＬＥＤ基板１０４を有するＬＥＤユニット１０５を内蔵している。
そのため、ＬＥＤ１０３からの光成分がＬＥＤ基板１０４により遮られるために、その上方に、影となる暗範囲θ１００ができる。
【０００５】
図１０に示すように、直管型ＬＥＤランプ１０１の配光イメージは、長手方向に延びる形状になる。
従って、従来の照明器具１００は、直管型ＬＥＤランプ１０１の配光の特性に伴う暗範囲θ１００により光学的な特性に影響があるとともに、意匠面で具合が悪い。
【０００６】
また、図１１に示すように、このような従来の照明器具１００に装備されるランプ支持ばね１０６は、直管型ＬＥＤランプ１０１を挟持する部分１０７の幅寸法Ｌ５１が、爪部分１０８の幅寸法Ｌ５２に同等である。
これは、直管型ＬＥＤランプ１０１が、放熱性を高めるためにアルミニウム製等の重量物である放熱板を内蔵しているので、従来の蛍光ランプと比べて質量が大きいからであり、保持力を高める必要があるとともにボリュームを大きくする必要があるためである。
従って、従来の照明器具１００は、ランプ支持ばね１０６の直管型ＬＥＤランプ１０１を挟持する部分１０７の大きな幅寸法Ｌ５１により大きな範囲において光成分が遮られるために光学的な特性に支障がある。
【０００７】
さらに、従来の照明器具１００は、ランプ支持ばね１０６が放熱特性を有さない金属材料により成形されている。
従って、従来の照明器具１００は、ランプ支持ばね１０６の放熱性が良好ではない。
【０００８】
本発明は、前述した課題を解決するためになされたものであり、その目的は、光学的な特性への影響を防止でき、意匠面および放熱性を向上できる照明器具を提供することにある。
【課題を解決するための手段】
【０００９】
本発明に係る照明器具は、直管型ＬＥＤランプと、前記直管型ＬＥＤランプの前面に取り付けられる反射板と、前記直管型ＬＥＤランプを前記反射板の前面に保持するランプ支持ばねとを備え、前記ランプ支持ばねは、前記直管型ＬＥＤランプの発光面の下方に位置する部位が、前記直管型ＬＥＤランプの発光面の上方に位置する部位よりも短い。
【００１０】
本発明に係る照明器具は、前記ランプ支持ばねが、放熱性に優れる材料により成形される。
【発明の効果】
【００１１】
本発明に係る照明器具によれば、光学的な特性への影響がなく、意匠面および放熱性を向上できるという効果を奏する。
【図面の簡単な説明】
【００１２】
【図１】本発明に係る第１実施形態の照明器具の斜め下方から視た外観斜視図
【図２】本発明に係る第１実施形態の照明器具の斜め下方から視た分解斜視図
【図３】本発明に係る第１実施形態の照明器具のランプ支持ばねの斜め上方から視た外観斜視図
【図４】本発明に係る第１実施形態の照明器具のランプ支持ばねの側面図
【図５】本発明に係る第１実施形態の照明器具のランプ支持ばね周りの斜め下方から視た外観斜視図
【図６】本発明に係る第１実施形態の照明器具の反射板の斜め上方から視た外観斜視図
【図７】本発明に係る第１実施形態の照明器具の垂直断面図
【図８】本発明に係る第２実施形態の照明器具のランプ支持ばねの斜め上方から視た外観斜視図
【図９】従来の照明器具の直管型ＬＥＤランプの縦断面図
【図１０】従来の照明器具の直管型ＬＥＤランプの配光イメージ図
【図１１】従来の照明器具のランプ支持ばねの外観図
【発明を実施するための形態】
【００１３】
以下、本発明に係る複数の実施形態の照明器具について図面を参照して説明する。
（第１実施形態）
図１に示すように、本発明に係る第１実施形態の照明器具１０は、器具本体１１と、器具本体１１の一端部に取り付けられた給電側ソケット（図２参照）１２と、器具本体１１の他端部に取り付けられた接地側ソケット１３とを備える。
また、照明器具１０は、給電側ソケット１２および接地側ソケット１３に電気的に接続されて機械的に取り付けられる直管型ＬＥＤランプ１４と、器具本体１１に取り付けられた一対の反射板取付部材１５と、電源端子台１６と、電源ブロック１７とを備える。
そして、照明器具１０は、直管型ＬＥＤランプ１４の前面に取り付けられる反射板１８と、直管型ＬＥＤランプ１４を反射板１８の前面に保持する一対のランプ支持ばね１９とを備える。
照明器具１０は、天井面（図７参照）１に設置されるベースライトに適用される。
【００１４】
図２に示すように、器具本体１１は、厚みの薄い金属製板部材により成形されており、下面に、電源端子台１６と、電源ブロック１７とが取り付けられている。
電源端子台１６には、電源配線２０が外部から引き込まれており、電源端子台１６からは電源ブロック１７に不図示の器具内配線が電気的に接続される。
電源ブロック１７からは、同じく不図示の器具内配線が給電側ソケット１２および接地側ソケット１３に電気的に接続される。
給電側ソケット１２は、給電側ソケット台２１を介して器具本体１１に取り付けられている。接地側ソケット１３は、接地側ソケット台２２を介して器具本体１１に取り付けられている。
【００１５】
直管型ＬＥＤランプ１４は、断面がほぼ円形状のガラス管２３の一端部の口金２４に、給電側ソケット１２内に収容されている不図示の一対の給電側端子受に電気的に接続される一対の給電側口金ピン２５をそれぞれ有する。
直管型ＬＥＤランプ１４は、ガラス管２３の他端部の口金２６に、接地側ソケット１３に収容されている不図示の接地側端子受に電気的に接続される単一の接地側口金ピン２７を有する。
【００１６】
直管型ＬＥＤランプ１４は、ガラス管２３内に、複数のＬＥＤ２８を器具本体１１の長手方向に実装させたＬＥＤ基板２９を有するＬＥＤユニット３０を内蔵している。
直管型ＬＥＤランプ１４は、給電側ソケット１２から給電された直流電流が給電側口金ピン２５から接地側口金ピン２７を通じて接地側ソケット台２２に流れる。
そして、直管型ＬＥＤランプ１４は、ＬＥＤ基板２９が有する不図示のプリント回路に直流電流が供給されてＬＥＤ２８が発光する。
直管型ＬＥＤランプ１４は、被照射対象に向けた照射範囲が全周に対して１／２ないし２／３である。
なお、直管型ＬＥＤランプ１４は、一端部の口金２４に一対の給電側口金ピン２５を有し、他端部の口金２６に単一の接地側口金ピン２７を有するものに限ることはない。
例えば、一端部の口金２４に３本の給電側口金ピン２５を有し、他端部の口金２６に２本の接地側口金ピン２７を有するものや、一端部の口金２４に２本の給電側口金ピン２５を有し、他端部の口金２６に２本の接地側口金ピン２７を有するものであってもよい。
【００１７】
反射板１８は、例えば鉄を含む合金等の導電性材料により器具本体１１の長手方向に沿った長さを有して形成されており、表面に絶縁材料からなる白色や乳白色の塗装が施されている。
反射板１８は、天板３１と周板３２との内面に反射面３３を有し、天板３１の端部寄りにランプ支持ばね１９を取り付けるための一対の取付孔（図５参照）３４を有する。
反射板１８は、天板３１の端部側に給電側ソケット１２および接地側ソケット１３を挿通させるための一対のソケット挿通孔（図５参照）３５を有する。
反射板１８は、一対の反射板取付部材１５により挟持されてねじ止めされることにより、給電側ソケット１２および接地側ソケット１３がソケット挿通孔３５を挿通して下方に向けて突出する。
【００１８】
図３に示すように、ランプ支持ばね１９は、例えばＳＫ鋼等の弾性反発力を有して放熱性を有する導電性材料により略Ｃ字形状に形成されて、表面に絶縁材料からなる白色や乳白色の塗装が施されている。
ランプ支持ばね１９は、略コ字形状に形成された本体３６に有する天板３７から略ハ字形状に上方に突出する一対の爪部３８を有し、本体３６の下方に、直管型ＬＥＤランプ１４を握持するための一対の保持部３９が接続されている。
【００１９】
図４に示すように、本体３６は、幅寸法Ｌ１を有し、これとは異なり、保持部３９は、本体３６の幅寸法Ｌ１よりも十分に小さい（短い）幅寸法Ｌ２に先細状に形成されている。
保持部３９は、本体３６から先細状に延出されているために、段部を介して接続されたものと比べて、弾性反発力が緩やかな変動曲線になるので、十分な保持力を有する。
【００２０】
図５および図６に示すように、ランプ支持ばね１９は、一対の爪部３８が反射板１８の一対の取付孔３４に嵌入されることにより、一対の爪部３８が反射板１８の天板３１の上方に突出して反射板１８に取り付けられる。
そして、ランプ支持ばね１９は、反射板１８の内面に突出されている保持部３９により直管型ＬＥＤランプ１４のガラス管２３を保持する。
このとき、ランプ支持ばね１９は、保持部３９が本体３６に比べて、十分に小さい幅寸法Ｌ２を有して先細状に形成されているために、直管型ＬＥＤランプ１４から放射状に出射される光成分を遮ることが少ない。
【００２１】
図７に示すように、照明器具１０は、直管型ＬＥＤランプ１４が点灯されることにより、ＬＥＤ２８からの光成分がＬＥＤ基板２９により遮られることにより、その上方に、影となる暗範囲θ１０ができる。
しかし、照明器具１０は、ランプ支持ばね１９において、直管型ＬＥＤランプ１４の発光面の下方に位置する保持部３９の幅寸法Ｌ２が、直管型ＬＥＤランプ１４の発光面の上方に位置する本体３６の幅寸法Ｌ１よりも十分に小さい。
そのため、照明器具１０は、従来の照明器具と比べて、直管型ＬＥＤランプ１４の下方を遮る領域が極端に小さい。
従って、照明器具１０は、直管型ＬＥＤランプ１４の光学的な特性への影響がなく、意匠面で良好にできる。
【００２２】
ランプ支持ばね１９は、直管型ＬＥＤランプ１４を握持した保持部３９の上方に本体３６が接続されている。
従って、ランプ支持ばね１９は、放熱性に優れる材料により成形された保持部３９および本体３６が直管型ＬＥＤランプ１４に熱的に接続されることにより、放熱性を向上できる。
ここで、直管型ＬＥＤランプ１４の発光面の上方に位置する本体３６の幅寸法Ｌ１をさらに大きくすることにより、直管型ＬＥＤランプ１４に大きい面積で熱的に接続されるので、直管型ＬＥＤランプ１４の放熱性を、より一層向上できる。
【００２３】
以上、説明したように第１実施形態の照明器具１０によれば、ランプ支持ばね１９が、直管型ＬＥＤランプ１４において、発光面の下方に位置する保持部３９の幅寸法Ｌ２の方が発光面の上方に位置する本体３６の幅寸法Ｌ１よりも十分に小さい。
従って、第１実施形態の照明器具１０によれば、従来の照明器具と比べて、直管型ＬＥＤランプ１４の下方を遮る領域が極端に小さいので、直管型ＬＥＤランプ１４の光学的な特性への影響がなく、意匠面で良好にできる。
【００２４】
また、第１実施形態の照明器具１０によれば、ランプ支持ばね１９が、放熱性に優れる材料により成形されるために、放熱性を向上できる。
【００２５】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２６】
図８に示すように、本発明に係る第２実施形態の照明器具４０におけるランプ支持ばね４１は、略コ字形状に形成された本体４２に有する天板４３に、一対の爪部４４を有し、本体４２の下方に、一対の絞部４５を介して一対の保持部４６が接続されている。
ランプ支持ばね４１は、直管型ＬＥＤランプ１４の発光面の上方に位置する本体４２が幅寸法Ｌ１を有し、直管型ＬＥＤランプ１４の発光面の下方に位置する保持部４６が本体４２よりも十分に小さい幅寸法Ｌ２を有する。
【００２７】
第２実施形態の照明器具４０によれば、ランプ支持ばね４１の保持部４６が、絞部４５を含むために、直管型ＬＥＤランプ１４の外周面に十分な接触面積を有して当接することにより、放熱性を向上できるとともに直管型ＬＥＤランプ１４を確実に挟持できる。
【００２８】
なお、本発明の照明器具において器具本体，給電側ソケット，接地側ソケット，直管型ＬＥＤランプ，反射板，電源端子台，電源ブロック等は、前述した各実施形態に限定されるものでなく、適宜な変形や改良等が可能である。
【符号の説明】
【００２９】
１０，４０  照明器具
１４  直管型ＬＥＤランプ
１８  反射板
１９，４１  ランプ支持ばね
【図１】
2012146563.tif 000003
【図２】
2012146563.tif 000004
【図３】
2012146563.tif 000005
【図４】
2012146563.tif 000006
【図５】
2012146563.tif 000007
【図６】
2012146563.tif 000008
【図７】
2012146563.tif 000009
【図８】
2012146563.tif 000010
【図９】
2012146563.tif 000011
【図１０】
2012146563.tif 000012
【図１１】
2012146563.tif 000013